(57)【要約】【課題】  履き心地を向上させた靴であって、安価で製造容易な靴を提供する。【解決手段】  インソールの第１及び第２の層４１、４２は縦方向において爪先部１Ａの土踏まず部１Ｂ側の縁部近傍から踵部１Ｃの後端まで延び、第３の層４３は、縦方向において爪先部１Ａの先端から踵部１Ｃの後端まで延びている。クッション部材５０は、インソール４０の第３の層４３において第１の層４１に覆われていない位置に配置されており、その爪先側の縁部５０Ａは爪先部１Ａの先端まで延びている。アウトソール３０の接地面側には、爪先部１Ａにおいて突出部３１を形成する。突起部３１はアウトソール３０の他の部分と一体成形で形成する。【選択図】  図３
2015047393.tif 000002
【特許請求の範囲】
【請求項１】
爪先部の先端から踵部の後端まで延びるアウトソールと前記アウトソールの上に配置されるインソールとを備える靴であって、
前記インソールの一部の部材は前記爪先部の土踏まず部側の縁部近傍から前記踵部の後端まで延び、
前記爪先部の前記土踏まず部側の縁部近傍から前記爪先部の先端にクッション部材が設けられ、
前記アウトソールには、前記爪先部において接地面側に突出する突出部が設けられ、該突出部は、前記アウトソールの他の部分と一体成形で形成されることを特徴とする靴。
【請求項２】
前記爪先部において、前記クッション部材が占める領域と前記突起部が占める領域は互いに重なり合っていることを特徴とする請求項１に記載の靴。
【請求項３】
前記インソールは、
硬質材料から成り、着用者が足を入れる側に配置される第１の層と、
硬質材料から成り、接地面側に配置される第２の層と、
前記第１の層と前記第２の層との間に設けられ、前記第１の層と前記第２の層よりも硬度の低い材料から成る第３の層とを備え、
前記第１の層と前記第２の層は、前記爪先部の前記土踏まず部側の縁部近傍から前記踵部の後端まで延び、
前記第３の層は前記爪先部の先端から前記踵部の後端まで延び、
前記クッション部材は前記第３の層の上に配置されることを特徴とする請求項１または２に記載の靴。
【請求項４】
前記クッション部材の前記土踏まず部側の縁部が前記第１の層と前記第２の層に挟まれていることを特徴とする請求項３に記載の靴。
【発明の詳細な説明】
【技術分野】
【０００１】
本発明は、靴に関するものであり、詳しくは、インソールの爪先部分にクッション性のある部材を設け、履き心地を向上させた靴に関する。
【背景技術】
【０００２】
従来から、靴にはデザイン性と共に履き易さが求められる。履き易さをもたらす要因として、アッパーやインソール等、着用者の足に直接的又は間接的に接する部分の柔軟性と、歩行時に接地面から受ける衝撃の吸収力の高さが挙げられる。着用者の足に接する部分を柔軟な材料で構成すれば、着用者の足をソフトに包み込むことができ、着用者に快適な履き心地を感じさせることができる。一方、柔軟な材料は歩行時、靴が地面に接触した瞬間その厚みが薄くなり、地面からの衝撃が足裏にダイレクトに伝わりやすいという「履き心地の矛盾」が生じることとなる。
【０００３】
例えば、特許文献１には、中底の踵部からヒール部にかけて硬性材料を配設し、土踏まずの前端部分にクッション性のある部材を配置したハイヒール・パンプスが開示されている。このハイヒール・パンプスには、土踏まずの前端部分に硬性材料の代わりにクッション性のある部材を設けており、そのままでは着用者は前端部分において接地面からの衝撃を受けることになる。そこで、この接地面からの衝撃を吸収するため、特許文献１のハイヒール・パンプスの表底の爪先側の内部には、軟質プラスチックの弾性ゴムカプセルのエアクッション材が配設されている。
【先行技術文献】
【特許文献】
【０００４】
【特許文献１】特開２０１２−２３５８９２号公報
【発明の概要】
【発明が解決しようとする課題】
【０００５】
特許文献１のハイヒール・パンプスは、表底とは別体のエアクッション材を用意しなければならないため部品点数が増え、コストが高くなるという問題がある。さらに、接地面からの衝撃を確実に吸収するためには、エアクッション材を表底の適切な位置に配置しなければならず、製造が困難であるという問題がある。
【０００６】
本発明はこのような実状に鑑みてなされたものであり、その目的は、いわゆる履き心地の矛盾を解消して履き心地を向上させた靴であって、安価でかつ製造容易な靴を提供することである。
【課題を解決するための手段】
【０００７】
上記従来技術の有する課題を解決するために、本発明に係る靴は、爪先部の先端から踵部の後端まで延びるアウトソールと、前記アウトソールの上に配置されるインソールとを備え、前記インソールは、土踏まず部の爪先側の縁部の近傍から前記爪先部の先端にわたって一部の部材が切り欠かれ、該切り欠かれた部分に相当する位置にクッション材が設けられており、前記アウトソールには、前記爪先部において接地面側に突出する突出部が設けられ、該突出部は、前記アウトソールの他の部分と一体成形で形成されることを特徴とする。
【０００８】
前記爪先部において、前記クッション部材が占める領域と前記突起部が占める領域は互いに重なり合っていてもよい。
【０００９】
前記インソールは、硬質材料から成り、着用者が足を入れる側に配置される第１の層と、硬質材料から成り、接地面側に配置される第２の層と、前記第１の層と前記第２の層との間に設けられ、前記第１の層と前記第２の層よりも硬度の低い材料から成る第３の層とを備え、前記第１の層と前記第２の層は、前記爪先部の前記土踏まず部側の縁部近傍から前記踵部の後端まで延び、前記第３の層は前記爪先部の先端から前記踵部の後端まで延び、前記クッション部材は前記第３の層の上に配置されていてもよい。
【００１０】
前記クッション部材の前記土踏まず部の爪先側の縁部が前記第１の層と前記第２の層に挟まれていてもよい。
【発明の効果】
【００１１】
上述のように、本発明に係る靴は、インソールの土踏まず部の爪先側の縁部の近傍から爪先部の先端にわたって一部の部材が切り欠かれ、そこにクッション材が設けられており、アウトソールには爪先部において接地面側に突出する突出部が設けられている。すなわち、着用者の足の爪先部分に対応する位置に柔軟なクッション部材が配置され、かつアウトソールの突起部が形成されているため、履き心地を高めることができると共に、その突起部が緩衝となって接地面からの衝撃を吸収することができる。
【００１２】
さらに、突起部はアウトソールの他の部分と一体成形で形成されているため、衝撃吸収のための特別な部材を用意する必要が無く、部品点数の増加及びコストの上昇を抑えることができ、かつ製造が容易であるという効果が得られる。
【図面の簡単な説明】
【００１３】
【図１】本発明の実施形態に係る靴の側面図である。
【図２】本発明の実施形態に係る靴のインソール、クッション部材、及びアウトソールの分解斜視図である。
【図３】本発明の実施形態に係る靴の縦断面図である。
【図４】本発明の実施形態に係る靴を接地面から示す図である。
【発明を実施するための形態】
【００１４】
以下、本発明を図示の実施の形態に基づいて詳細に説明する。図１は、本実施形態の靴１の側面図である。靴１は、アッパー１０とヒール２０を備える女性用のパンプスであり、ヒール２０が設けられた踵部１Ｃがアッパー１０の先端部の爪先部１Ａより高いハイヒールである。ヒール２０の先端部には保護部材２１が接着されている。ゴム製材料から成るアウトソール３０は爪先部１Ａの先端から土踏まず部１Ｂを経て踵部１Ｃまで延びている。爪先部１Ａと土踏まず部１Ｂにおいて、アッパー１０の接地面側の縁部がアウトソール３０に接着されており、踵部１Ｃにおいて、ヒール２０の爪先側の側面にアウトソール３０が接着されている。
【００１５】
図２は靴１を分解し一部の部材を示す斜視図であり、図３は靴１の縦断面図である。
インソール４０は、インソール４０は、着用者が足を入れる側に配置される第１の層４１と、接地面側に配置される第２の層４２とを有し、さらに、第１の層と第２の層との間に設けられる第３の層４３と有する。第１の層４１及び第２の層４２は、例えばＴＰＲ（Thermo Plastic Rubber、熱可塑性ゴム）、ＴＰＥ（Thermo Plastic Elastomer、熱可塑性エラストマー）等を含む硬質材料を成形したものであり、第３の層４３は、第１及び第２の層４１、４２よりも硬度の低い材料を成形したものである。第１及び第２の層４１、４２は、歩行時に外力が加わっても変形しない硬度を有している。一方、第３の層４３は、歩行時に容易に変形する可撓性を有している。
【００１６】
第１の層４１及び第２の層４２は、縦方向において爪先部１Ａの土踏まず部１Ｂ側の縁部近傍から踵部１Ｃの後端まで延び、横方向においてアウトソール３０及びヒール２０の左右側端部まで延びている。さらに、第２の層４２の爪先部１Ａ側の先端部４２Ａは、第１の層４１の爪先部１Ａ側の先端部４１Ａよりも先端側に位置している。第３の層４３は、縦方向において爪先部１Ａの先端から踵部１Ｃの後端まで延び、横方向においてアウトソール３０及びヒール２０の左右側端部まで延びている。すなわち、インソール４０を構成する各層のうち、相対的に硬度の低い可撓性を有する第３の層４３のみが爪先部１Ａの先端まで延びており、相対的に硬度の高い第１及び第２の層４１、４２は爪先部１Ａの土踏まず部１Ｂ側の端部までしか延びていない。従って、インソール４０は、歩行時に外力が加わった場合、土踏まず部１Ｂ及び踵部１Ｃにおいては変形せず、爪先部１Ａの先端から土踏まず部１Ｂ側の端部においては容易に屈曲する。
【００１７】
クッション部材５０は、例えばラテックスを所定の厚み（約３ｍｍ〜１ｃｍ）をもって成形したものである。クッション部材５０は、インソール４０の第３の層４３において第１の層４１に覆われていない位置に配置されている。クッション部材５０は、その爪先側の縁部５０Ａは爪先部１Ａの先端まで延び、横方向においてアウトソール５０の左右側端部まで延びている。クッション部材５０の土踏まず部１Ｂ側の縁部５０Ｂと、インソール４０の第１の層４１の爪先部１Ａ側の先端部４１Ａは、インソール４０の第１の層４１の先端部４１Ａを上にし、クッション部材５０の縁部５０Ｂを下にして、重なり合っている。すなわち、クッション部材５０の縁部５０Ｂは、インソール４０の第１の層４１と第３の層４３に挟まれている。インソール４０の第１の層４１の先端部４１Ａとクッション部材５０の縁部５０Ｂとが重なり合っている部分は、靴１の着用者の足の小趾球と母趾球を結ぶ線の近傍に位置している。
【００１８】
図３に示されるようにインソール４０とクッション部材５０の上には、靴１の着用者の足が接触する中敷６０が敷設されている。図１〜図３に示されるように、アウトソール３０には、爪先部１Ａにおいて他の部分よりも接地面側に突出する突出部３１が設けられている。図４は、靴１を接地面から示す図である。上述のように、クッション部材５０の縁部５０Ａは爪先部１Ａの先端に位置し、横方向においてアウトソール５０の左右側端部まで延びているのに対し、突出部３１の最外周縁部は、アウトソール５０の爪先部１Ａの先端、左右の側端部からそれぞれ寸法Ｌ１（約０．５ｃｍ〜１ｃｍ）だけ離れて位置している。また、クッション部材５０の縁部５０Ｂは爪先部１Ａと土踏まず部１Ｂの境界部よりやや爪先側に位置しているのに対し、突出部３１の踵側の端部３１Ｂは爪先部１Ａと土踏まず部１Ｂの境界に位置している。すなわち、突出部３１は、爪先部１Ａにおいてクッション部材５０と対応する位置に設けられており、接地面側若しくは中敷６０が敷設する側から見た場合に、突出部３１が占める領域とクッション部材５０が占める領域は部分的に重なり合っている。
【００１９】
図４に示されるように、アウトソール３０の突出部３１は、略楕円状の中心部３２と、中心部３２の周囲を囲む周辺部３３とを有する。中心部３２には微細な三角形状の複数の舌片が中心部３２の全体にわたって形成されている。各舌片は、同じ角度で接地面側に傾斜し、隣り合う舌片の頂点部分と底辺部分が互い違いとなるよう形成されている。周辺部３３には、斜めに交差する稜線と、この稜線に囲まれた凹部が形成されている。中心部３２の舌片及び周縁部３３の稜線は、突出部３１の最外周縁部（周辺部３３の最外周部に相当）よりも接地面側に突出することがないよう形成されている。本実施形態において、この突出部３１はアウトソール３０の他の部分と共にモールド成形（一体成形）される。
【００２０】
このように、本発明に係る実施形態によれば、アウトソール３０の上には、土踏まず部１Ｂの爪先側の縁部の近傍から爪先部１Ａの先端にわたってクッション部材５０が接着され、アウトソール３０の接地面側には、爪先部１Ａにおいて突出部３１が形成されている。従って、クッション部材５０により履き心地を高めることができると共に、突出部３１により接地面からの衝撃を吸収することができる。
【００２１】
換言すると、爪先部１Ａにラテックスから成る所定の厚みを有するクッション部材５０を配設することにより、いわゆる靴の返りを良くし、履き易さを向上させている。しかし単にクッション部材５０を配設するのみでは、歩行時にクッション部材５０が圧縮されることにより着用者の足と接地面との間のソールは薄くなるため、接地面からの衝撃の吸収が十分に行われず、着用者に負担を感じさせてしまう。そこで、本実施形態では爪先部１Ａにクッション部材５０を配設すると共にアウトソール３０に上述の突起部３１を設け、接地面からの衝撃を吸収、緩和している。すなわち、本実施形態によれば、履き易さを向上させ、かつ歩行時の接地面からの衝撃から着用者の足を十分に保護することのできる靴が得られる。
【００２２】
さらに、突起部３１はアウトソール３０の他の部分と一体成形で形成されているため、接地面からの衝撃を吸収するために特別な部材を用意する必要が無く、またアウトソール３０における突起部３１の位置決めも容易である。従って、上記のような着用者に負担の少ない履き心地のよい靴を製造するにあたり、部品点数の増加及びコストの上昇を抑えることができ、かつ製造が容易であるという効果が得られる。
【００２３】
また、アウトソール３０に屈曲性に優れたゴム製材料を使用し、インソール４０を爪先部１Ａの先端から土踏まず部１Ｂ側の端部において容易に屈曲する構成とし、爪先部１Ａにクッション部材５０を配置しているため、靴１の着用者の足の小趾球と母趾球を結ぶ線の近傍で高い屈曲性が得られる。従って、歩行時に着用者にかかる負担をより一層軽減することができ、履き心地の良さを向上させることができる。
【００２４】
また、突起部３１の中心部３２の舌片及び周縁部３３の稜線を形成し凹凸部を設けることにより、滑り止めの効果が得られる。さらに、中心部３２の舌片及び周縁部３３の稜線は突出部３１の最外周縁部よりも接地面側に突出することがないよう形成されているため、美観を損なうことがない。
【００２５】
尚、本実施形態は、女性用のパンプス・ハイヒールを例にとって説明しているがこれに限るものではない。ローヒール等の他のパンプスや紳士靴にも適用可能である。
【００２６】
また、突起部３１の凹凸形状は図に示す形状に限るものではなく、滑り止めとしての効果を発揮する形状であれば他の形状の凹凸を形成してもよい。
【００２７】
以上、本発明の実施の形態につき述べたが、本発明は既述の実施の形態に限定されるものではなく、本発明の技術的思想に基づいて各種の変形及び変更が可能である。
【符号の説明】
【００２８】
１  靴
１０  アッパー
２０  ヒール
３０  アウトソール
３１  突起部
４０  インソール
５０  クッション部材
６０  中敷
【図１】
2015047393.tif 000003
【図２】
2015047393.tif 000004
【図３】
2015047393.tif 000005
【図４】
2015047393.tif 000006